(57)【要約】  【課題】  他のＶＴＲでの不法な複製を防止できると共に、例えばディスプレイのように、複製に無関係な装置では再生が許可されるようにする。  【解決手段】  ＩＤデコーダで著作権の保護のための制御ビットを検出する。ＩＤ検出回路２２で接続されている機器の種類を特定する。これらの情報に基づいて、スイッチ回路１６を設定する。接続されているのがディスプレイの場合には、スイッチ回路１６が端子１６Ｂ側に設定されるので、ディスプレイ１６からのキー信号Ｋ１でスクランブルがかかる。このため、スクランブルして出力された信号をディスプレイ２のデスクランブラ３４で解くことができる。【選択図】  図１
2004362763.tif 000002
【特許請求の範囲】
【請求項１】
ディジタル信号を他の機器へ伝送するディジタル伝送装置であって、
上記ディジタル信号を伝送する相手機器に関する情報を取得する取得手段と、
上記伝送すべきディジタル信号に含まれ、著作権の保護が必要か否かを示す著作権情報を検出する検出手段と、
上記取得手段と上記検出手段の出力に基づいて、上記伝送すべきディジタル信号の著作権を保護する必要があり、かつ上記相手機器が所定の機器であると判断された場合には、上記相手機器とで共有できるキー信号を用いて、上記伝送すべきディジタル信号をスクランブルするスクランブル手段と、
上記スクランブルされたディジタル信号を出力するディジタル信号出力手段と
を備え、
上記伝送すべきディジタル信号は圧縮されたディジタル信号であることを特徴とするディジタル伝送装置。
【請求項２】
上記キー信号は、上記相手機器から伝送されてくるものであることを特徴とする請求項１に記載のディジタル伝送装置。
【請求項３】
上記キー信号を発生するキー信号発生手段と、
上記発生されたキー信号を上記相手機器に伝送するキー信号伝送手段と
をさらに備えることを特徴とする請求項１に記載のディジタル伝送装置。
【請求項４】
ディジタル信号を他の機器へ伝送するディジタル伝送方法であって、
上記ディジタル信号は圧縮されてなり、
上記ディジタル信号を伝送する相手機器に関する情報を取得し、
上記伝送すべき上記圧縮された上記ディジタル信号に含まれ、著作権の保護が必要か否かを示す著作権情報を検出し、
上記取得された相手機器に関する情報と上記検出された著作権情報に基づいて、上記伝送すべきディジタル信号の著作権を保護する必要があり、かつ上記相手機器が所定の機器であると判断された場合には、上記相手機器とで共有できるキー信号を用いて、上記伝送すべきディジタル信号をスクランブルし、
上記スクランブルされたディジタル信号を出力する
ようにしたことを特徴とするディジタル伝送方法。
【請求項５】
上記キー信号は、上記相手機器から伝送されてくるものであることを特徴とする請求項４に記載のディジタル伝送方法。
【請求項６】
上記キー信号を発生し、
上記発生されたキー信号を上記相手機器に伝送する
ようにしたことを特徴とする請求項４に記載のディジタル伝送方法。
【発明の詳細な説明】
【技術分野】
【０００１】
この発明は、ビデオ信号をディジタル化し圧縮して伝送するディジタル伝送装置およびディジタル伝送方法に関するもので、特に、ディジタルＶＴＲの著作権保護のためのスクランブルに係わる。
【背景技術】
【０００２】
ビデオ信号をディジタル化し、テープに記録するディジタルＶＴＲが開発されている。ディジタルＶＴＲでは、ビデオ信号をディジタル化して記録するため、画質の劣化が殆どなく、その複製を作ることが容易である。このため、不法な複製が作成され、著作権が侵害される虞がある。そこで、例えば、ディジタルビデオ信号に疑似ランダム符号からなるキー信号を重畳して出力するような、スクランブル方式がいくつか提案されている。
【０００３】
このような強力なスクランブルをかけると、スクランブルを解くためのキーを知らなければビデオ信号を再生することができなくなる。このため、キーが分からなければ他のＶＴＲで複製を作成することができなくなり、不法な複製が作成されることが防止できる。
【発明の開示】
【発明が解決しようとする課題】
【０００４】
ところが、スクランブルを施してビデオ信号を出力してしまうと、他のＶＴＲで記録することが防止できる一方で、ディスレイでモニタすることもできなくなってしまう。つまり、スクランブルを施す目的は、不法な複製が作成されることを防止するためであり、モニタをも禁止するものではない。ディジタルビデオ信号にスクランブルを施して出力すると、ディスプレイにスクランブルを解くためのデスクランブラを設け、送られてきたビデオ信号にかけられたスクランブルのキーと同一のキーをこのスクランブラに設定しない限り、ディスプレイでモニタできなくなってしまう。
【０００５】
したがって、この発明は、他のＶＴＲでの不法な複製を防止できると共に、例えばディスプレイのように、複製に無関係な装置では再生が許可されるようなディジタル伝送装置およびディジタル伝送方法を提供することにある。
【課題を解決するための手段】
【０００６】
この発明は、ディジタル信号を他の機器へ伝送するディジタル伝送装置であって、ディジタル信号を伝送する相手機器に関する情報を取得する取得手段と、伝送すべきディジタル信号に含まれ、著作権の保護が必要か否かを示す著作権情報を検出する検出手段と、取得手段と検出手段の出力に基づいて、伝送すべきディジタル信号の著作権を保護する必要があり、かつ相手機器が所定の機器であると判断された場合には、相手機器とで共有できるキー信号を用いて、伝送すべきディジタル信号をスクランブルするスクランブル手段とスクランブルされたディジタル信号を出力するディジタル信号出力手段とを備え、伝送すべきディジタル信号は圧縮されたディジタル信号であることを特徴とするディジタル伝送装置である。
【０００７】
この発明は、ディジタル信号を他の機器へ伝送するディジタル伝送方法であって、ディジタル信号は圧縮されてなり、ディジタル信号を伝送する相手機器に関する情報を取得し、伝送すべきディジタル信号に含まれ、著作権の保護が必要か否かを示す著作権情報を検出し、取得された相手機器に関する情報と検出された著作権情報に基づいて、伝送すべき圧縮されたディジタル信号の著作権を保護する必要があり、かつ相手機器が所定の機器であると判断された場合には、相手機器とで共有できるキー信号を用いて、伝送すべきディジタル信号をスクランブルしスクランブルされたディジタル信号を出力するようにしたことを特徴とするディジタル伝送方法である。
【０００８】
上述したように、この発明は、圧縮されたディジタル信号を伝送する相手機器に関する情報を取得し、取得された情報に基づき相手機器の種類に応じてスクランブルが制御されるので、相手機器が所定の機器の場合のみ、スクランブルを解けるようにできる。
【発明の効果】
【０００９】
この発明によれは、接続された機器の種類に応じてスクランブルが制御されるので、他のＶＴＲでの不法な複製が防止される共に、例えばディスプレイのように複製に無関係な装置では再生が許可される。
【発明を実施するための最良の形態】
【００１０】
以下、この発明の一実施例について、図面を参照して説明する。図１は、この発明の一実施例を示すものである。図１において、１は再生側のＶＴＲ、２はディスプレイ、３は記録側のＶＴＲである。再生側のＶＴＲ１において、１９はアナログビデオ信号出力端子、２０はディジタルビデオ信号出力端子、２１はキー信号入力端子、２３はＩＤ信号入力端子である。また、ディスプレイ２において、３１はディジタルビデオ信号入力端子、３２はキー信号出力端子、３３はＩＤ信号出力端子である。記録側のＶＴＲ３において、４１はディジタルビデオ信号の入力端子である。
【００１１】
再生側のＶＴＲ１のディジタルビデオ信号出力端子２０がディスプレイ２のディジタルビデオ信号入力端子３１に接続されると共に、記録側のＶＴＲ３のディジタルビデオ信号入力端子４１に接続される。記録側のＶＴＲ１のキー信号入力端子２１と、ディスプレイ２のキー信号出力端子３２とが接続される。再生側ＶＴＲ１のＩＤ信号入力端子２３とディスプレイ３の信号出力端子３３とが接続される。
【００１２】
この例では、再生側のＶＴＲ１の再生信号をディスプレイ２でモニタ可能とし、記録側のＶＴＲ３での記録を禁止するようにしている。
【００１３】
記録側のＶＴＲ１において、テープ１１には、ディジタルビデオ信号が例えばＤＣＴ等の高能率符号を用いて圧縮されて記録されている。このディジタルビデオ信号は、著作権の保護のために、複製を禁止する必要がある。このようにテープ１１の記録信号が著作権を保護する必要がある場合には、再生信号中に著作権ビットが立てられる。
【００１４】
テープ１１の再生信号がヘッド１２で再生され、信号処理回路１３に供給される。信号処理回路１３で、エラー訂正符号化処理、逆ＤＣＴ変換等の信号処理がなされ、信号処理回路１３からベースバンドのディジタルビデオ信号が出力される。この信号処理回路１３からのディジタルビデオ信号がＤ／Ａコンバータ２４に供給されると共に、スクランブラ１４に供給される。
【００１５】
また、信号処理回路１３の出力がＩＤデコーダ１５に供給される。ＩＤデコーダ１５により、テープ１１からの再生信号中の著作権ビットが立てられているかどうかが検出される。ＩＤデコーダ１５の出力がスイッチコントローラ１７に供給される。また、スイッチコントローラ１７には、ＩＤ検出回路２２の出力が供給される。ＩＤ検出回路２２には、ＩＤ信号入力端子２３から機器の種類を示すＩＤ信号が供給される。ＩＤ検出回路２２は、このＩＤ信号を基に接続されている機器の種類を検出するものである。
【００１６】
スイッチコントローラ１７は、ＩＤデコーダ１５から得られる著作権ビットの有無の情報と、ＩＤ検出回路２２から得られる接続された機器の情報とにより、スイッチ制御信号を形成する。このスイッチ制御信号がスイッチ回路１６に供給される。著作権ビットが立てられており、接続されている機器がディスプレイである場合には、スイッチ回路１６が端子１６Ｂ側に設定される。著作権ビットが立てられているが、接続されている機器がディスプレイでない場合には、スイッチ回路１６が端子１６Ａ側に設定される。
【００１７】
Ｄ／Ａコンバータ２４でディジタルビデオ信号がアナログビデオ信号に変換される。このアナログビデオ信号がアナログ出力端子１９から出力される。スクランブラ１４には、スイッチ回路１６を介して、キー信号が供給される。スイッチ回路１６の端子１６Ａには、キー信号発生回路１８からのキー信号が供給される。スイッチ回路１６の端子１６Ｂには、キー信号入力端子２１からのキー信号が供給される。
【００１８】
スイッチ回路１６からのキー信号により、信号処理回路１３からのディジタルビデオ信号がスクランブルされる。このようにスクランブルされたディジタルビデオ信号は、ディジタルビデオ信号出力端子２０に供給される。
【００１９】
今、テープ１１の再生信号の著作権ビットが立てられているとする。そして、ディスプレイ２のＩＤ発生回路３７から、ディスプレイであることを示すＩＤ信号が発生され、このＩＤ信号がＶＴＲ１のＩＤ検出回路２２で検出されたとする。この時、スイッチ回路１６は端子１６Ｂ側に設定される。
【００２０】
スイッチ回路１６が端子１６Ｂ側に設定されている時には、ディスプレイ２のキー信号発生回路３６から発生されたキー信号Ｋ１が、ＶＴＲ１のスイッチ回路１６を介して、スクランブラ１４に送られる。このため、出力されるビデオ信号は、キーＫ１でスクランブルされたものとなる。
【００２１】
ディスプレイ２において、ディジタルビデオ信号入力端子３１には、再生側のＶＴＲ１からのスクランブルされたディジタルビデオ号が入力される。この入力端子３１からの信号は、デスクランブラ３４に供給される。デスクランブラ３４には、キー信号発生回路３６からキー信号Ｋ１が供給される。
【００２２】
前述したように、入力されるディジタルビデオ信号は、キー信号発生回路３６からのキー信号Ｋ１によりスクランブルされている。デスクランブラ３４には、これと同じキー信号Ｋ１が送られる。このため、デスクランブラ３４でスクランブルを解くことができる。
【００２３】
デスクランブラ３４により、ディジタルビデオ信号のスクランブルが解かれる。デスクランブラ３４の出力が信号処理回路３５に供給される。信号処理回路３５の出力がＣＲＴ３８に供給される。ＣＲＴ３８により、テープ１１の記録信号に基づくビデオ画面が再生される。
【００２４】
記録側のＶＴＲ３のビデオ信号入力端子４１には、再生側のＶＴＲ１からスクランブルされたディジタルビデオ信号が供給される。このディジタルビデオ信号が入力端子４１から信号処理回路４２に供給される。入力信号がスクランブルされているため、信号処理回路４２では、ビデオ信号が再生できない。このため、信号処理回路４２の出力をヘッド４３によりテープ４４に記録しても、記録側のＶＴＲ１のテープ１１の複製を作成することはできない。
【００２５】
このように、この発明の一実施例では、再生側のＶＴＲ１のテープ１１の複製を、記録側のＶＴＲ３で作成するような、不正な複製の作成を禁止しつつ、ディスプレイ２での再生が行なえる。
【００２６】
なお、上述の一実施例では、再生側のＶＴＲ１において、信号処理回路１３でディジタルビデオ信号を伸長して、このベースバンドのディジタルビデオ信号に対してスクランブルを施して、ディジタルビデオ信号出力端子２０から出力するようにしているが、圧縮されたままのディジタルビデオ信号に対してスクランブルを施して、ディジタルビデオ信号出力端子２０から出力するようにしても良い。
【００２７】
図２は、この発明の他の実施例を示すものである。上述の一実施例では、ディスプレイ２側にキー信号発生回路３６を設け、このディスプレイ２側のキー信号を使ってディジタルビデオ信号にスクランブルを施しているが、この実施例では、ＶＴＲ１側のキー信号発生回路１８からのキー信号を用いてスクランブルを施すようにしている。
【００２８】
つまり、スイッチコントローラ１７は、ＩＤデコーダ１５から得られる著作権ビットの有無の情報と、ＩＤ検出回路２２から得られる接続された機器の情報とにより、スイッチ制御信号を形成する。このスイッチ制御信号がスイッチ回路２６に供給される。著作権ビットが立てられており、接続されている機器がディスプレイである場合には、スイッチ回路１６がオンされ、キー信号発生回路１８からのキー信号Ｋ１がスイッチ回路２６を介して出力端子２１から出力される。そして、このキー信号は、ディスプレイ２のデスクランブラ３４に供給される。したがって、ディスプレイ２側では、スクランブルを解くことができる。
【００２９】
なお、この実施例においても、圧縮されたままのディジタルビデオ信号に対してスクランブルを施して、ディジタルビデオ信号出力端子２０から出力するようにしても良いことは勿論である。
【００３０】
上述の説明では、ディスプレイだけ再生可能とし、他のＶＴＲでは再生を禁止するようにしているが、再生可能とされるものは、ディスプレイに限定されるものではない。例えば、特定のＶＴＲでのみ複製を許可するようなシステムを作ることも可能である。
【図面の簡単な説明】
【００３１】
【図１】この発明の一実施例のブロック図である。
【図２】この発明の他の実施例のブロック図である。
【符号の説明】
【００３２】
１４  スクランブラ
１５  ＩＤデコーダ
１６  スイッチ回路
１８  キー信号発生回路
３０  デスクランブラ
３６  キー信号発生回路
【図１】
2004362763.tif 000003
【図２】
2004362763.tif 000004